(57)【要約】【課題】センサ取付具及びセンサにおいて、パイプの曲がり部であっても取付けが簡単であると共に、微振動等の影響が少なく正確な温度検出を行うこと。【解決手段】パイプＰの曲がり部Ｃに温度センサＳを取り付けるセンサ取付具１０であって、主平板部１１と、該主平板部の中央部に設けられ前記温度センサを保持するセンサ保持部１２と、該主平板部の周縁に少なくとも３個所設けられ前記パイプを嵌め込んで挟持するパイプ保持部１３とを備え、前記パイプ保持部は、それぞれ前記主平板部から立設状態に設けられた断面円弧状の帯状部であり、１つは前記曲がり部の中央部を嵌め込み可能な位置に配され、他の２つは曲がり部の両側部を嵌め込み可能な位置に配されている。【選択図】　　　図１
2004053059.tif 000002
【特許請求の範囲】
【請求項１】
熱交換器の熱交換媒体を流通させるパイプの曲がり部に棒状の温度センサを取り付けるセンサ取付具であって、
主平板部と、
該主平板部の中央部に設けられ前記温度センサを保持するセンサ保持部と、
該主平板部の周縁に少なくとも３個所設けられ前記パイプを嵌め込んで挟持するパイプ保持部とを備え、
前記パイプ保持部は、それぞれ前記主平板部から立設状態に設けられた断面円弧状の帯状部であり、１つは前記曲がり部の中央部を嵌め込み可能な位置に配され、他の２つは曲がり部の両側部を嵌め込み可能な位置に配されていることを特徴とするセンサ取付具。
【請求項２】
請求項１に記載のセンサ取付具において、
前記センサ保持部と前記パイプ保持部とは、前記主平板部の異なる面に互いに設けられていることを特徴とするセンサ取付具。
【請求項３】
請求項１又は２に記載のセンサ取付具において、
前記パイプ保持部は、それぞれ外側に向けて曲げられて前記曲がり部を内側から嵌め込み可能であることを特徴とするセンサ取付具。
【請求項４】
請求項１から３のいずれかに記載のセンサ取付具において、前記主平板部には、前記センサ保持部に保持される前記温度センサに沿って延びる位置決めスリットが形成されていることを特徴とするセンサ取付具。
【請求項５】
請求項１から４のいずれかに記載のセンサ取付具と、
該センサ取付具の前記センサ保持部に実装された温度センサとを備えたことを特徴とするセンサ。
【発明の詳細な説明】
【０００１】
【発明の属する技術分野】
本発明は、エアーコンディショナー等の熱交換器の熱交換媒体を流通させるパイプに温度センサを取り付けるのに有効なセンサ取付具及びセンサに関する。
【０００２】
【従来の技術】
一般に、エアーコンディショナー等の熱交換器の熱交換媒体を流通させるパイプには各種の温度センサが取り付けられ、この温度センサからの信号によりエアーコンディショナーの運転が制御されるようになっている。
この場合、温度センサは、熱交換器のパイプの直線部又は曲がり部に、パイプをろう付けした中に間接的に取り付けられるようになっている。
【０００３】
しかしながら、ろう付けにより直接的に取り付ける方法は、ろう付け作業が必要となるために、取付けに手間がかかってしまう。
一方、上記のような問題を解決するため、取付具を用いて温度センサを熱交換器のパイプに取り付ける方法が提案されている。その一例が特開平１０−９７２９号公報に開示されている。
上記従来の取付具１は、図２に示すように、弾性を有する薄金属板により形成され、温度センサＳを収納する筒部２と、パイプＰを嵌め込んで固定する断面コ字状の挟持部３とで構成されている。
【０００４】
【発明が解決しようとする課題】
しかしながら、上記従来のセンサ取付具には、次のような課題が残されている。すなわち、取付具の挟持部にパイプを嵌め込んでも、エアコンの微振動や薄金属板の経年変化による弾性特性変化などにより位置ずれを生じ、正確な温度検出が困難になるおそれがあった。特に、パイプのうちＵ字状等に曲がった曲がり部に従来のセンサ取付具を取り付ける場合、位置ずれが生じやすかった。
【０００５】
本発明は、上記ような従来の問題に鑑みなされたものであって、パイプの曲がり部であっても取付けが簡単であると共に、微振動等の影響が少なく正確な温度検出を行うことができるセンサ取付具及びセンサを提供することを課題とするものである。
【０００６】
【課題を解決するための手段】
本発明は、前記課題を解決するために以下の構成を採用した。すなわち、本発明のセンサ取付具は、熱交換器の熱交換媒体を流通させるパイプの曲がり部に棒状の温度センサを取り付けるセンサ取付具であって、主平板部と、該主平板部の中央部に設けられ前記温度センサを保持するセンサ保持部と、該主平板部の周縁に少なくとも３個所設けられ前記パイプを嵌め込んで挟持するパイプ保持部とを備え、前記パイプ保持部は、それぞれ前記主平板部から立設状態に設けられた断面円弧状の帯状部であり、１つは前記曲がり部の中央部を嵌め込み可能な位置に配され、他の２つは曲がり部の両側部を嵌め込み可能な位置に配されていることを特徴とする。
【０００７】
このセンサ取付具では、パイプ保持部が、それぞれ主平板部から立設状態に設けられた断面円弧状の帯状部であり、１つは曲がり部の中央部を嵌め込み可能な位置に配され、他の２つは曲がり部の両側部を嵌め込み可能な位置に配されているので、パイプの曲がり部を３点で嵌め込み支持して、確実に装着することができる。また、主平板部と３つのパイプ保持部とにより、パイプとの接触領域が多く、温度センサに効率的に熱を伝導させることができる。したがって、本発明では、パイプの曲がり部であっても簡単にかつ確実に装着作業ができると共に、従来に比べて正確な温度検出が可能であり、微振動や板材の経年変化等による位置ずれを防ぐことができる。
【０００８】
また、本発明のセンサ取付具は、前記センサ保持部と前記パイプ保持部とが、前記主平板部の異なる面に互いに設けられていることが好ましい。すなわち、このセンサ取付具では、センサ保持部とパイプ保持部とが、主平板部の異なる面に互いに設けられているので、スペースに余裕ができ、小型化しても互いに干渉することなく固定することが可能になる。
【０００９】
また、本発明のセンサ取付具は、前記パイプ保持部が、それぞれ外側に向けて曲げられて前記曲がり部を内側から嵌め込み可能であることが好ましい。すなわち、このセンサ取付具では、パイプ保持部が、それぞれ外側に向けて曲げられて曲がり部をその内側から嵌め込み可能であるので、曲がり部をその外側から嵌め込む場合に比べて、位置ずれし難い。
【００１０】
また、本発明のセンサ取付具は、前記主平板部に、前記センサ保持部に保持される前記温度センサに沿って延びる位置決めスリットが形成されていることが好ましい。すなわち、このセンサ取付具では、主平板部に、センサ保持部に保持される温度センサに沿って延びる位置決めスリットが形成されているので、温度センサを保持した際に、温度センサが位置決めスリットに嵌って位置決めされ、微振動などによる位置ずれを防止することができる。
【００１１】
本発明のセンサは、上記本発明のセンサ取付具と、該センサ取付具の前記センサ保持部に実装された温度センサとを備えたことを特徴とする。
【００１２】
【発明の実施の形態】
以下、本発明に係るセンサ取付具及びセンサの一実施形態を、図１を参照しながら説明する。
【００１３】
本実施形態のセンサ取付具１０は、図１に示すように、エアーコンディショナー等の熱交換器の熱交換媒体を流通させるパイプＰの曲がり部Ｃに棒状の温度センサＳを取り付ける場合に適用したものである。このセンサ取付具１０は、主平板部１１と、該主平板部１１の中央部に設けられ温度センサＳを保持するセンサ保持部１２と、該主平板部１１の周縁に３個所設けられパイプＰを嵌め込んで挟持するパイプ保持部１３とを備えている。
【００１４】
上記パイプ保持部１３は、それぞれ主平板部１１から立設状態に設けられた断面円弧状の帯状部であり、１つは曲がり部Ｃの中央部を嵌め込み可能な位置に配され、他の２つは曲がり部Ｃの両側部を嵌め込み可能な位置に配されている。
また、センサ保持部１２とパイプ保持部１３とは、主平板部１１の異なる面に互いに設けられている。また、パイプ保持部１３は、それぞれ外側に向けて曲げられて曲がり部Ｃを内側から嵌め込み可能である。
さらに、主平板部１１には、センサ保持部１２に保持される温度センサＳに沿って延びる位置決めスリット１５が形成されている。
【００１５】
なお、センサ保持部１２及びパイプ保持部１３のそれぞれの先端には、外側に向けて折り曲げた先端曲げ部１４が形成されている。これらの先端曲げ部１４は、温度センサＳ及びパイプＰを嵌め込み易くするために設けたものである。
【００１６】
このセンサ取付具１０は、アルミニウム、銅、真鍮、ステンレス等の金属の薄板を素材とし、この素材に曲げ加工等を施すことにより各部が一体に形成されている。
具体的には、主として主平板部１１となる略半円状又は略半楕円状の板材を用い、該板材の中央にコ字状の切り込みを入れて帯状部を形成し、該帯状部を立設状態に折り曲げると共に、内側に温度センサＳを保持可能な断面円弧状のセンサ保持部１２とする。また、主平板部１１には、センサ保持部１２に保持される温度センサＳに沿った方向に、一定幅（温度センサＳの直径より狭い幅）で切り込みを入れて位置決めスリット１５を形成する。
【００１７】
また、上記板材の周縁の３個所に、取り付けるパイプＰの曲がり形状に合わせて切り込みにより帯状部を形成する。さらに、これらの帯状部をセンサ保持部１２と反対方向に折り曲げ、センサ保持部１２と異なる主平板部１１面上に立設させると共に、それぞれ外側に向けて断面円弧状に曲げ、曲がり部Ｃを内側から嵌め込み可能なパイプ保持部１３とする。なお、センサ保持部１２及びパイプ保持部１３の先端を外側に向けて折り曲げ、それぞれ先端曲げ部１９を形成する。
【００１８】
上記のように形成したセンサ取付具１０に、温度センサＳがパイプＰと接触するように装着されて本発明のセンサが構成され、温度センサＳからの信号により熱交換器の運転が制御されるようになっている。
この温度センサＳは、アルミニウム、銅、真鍮、ステンレス等の金属からなる略円筒状をなす検出部である保護キャップ１６と、保護キャップ１６の内側に嵌合される丸棒状のセンサ本体１７と、センサ本体１７に接続されるリード線１８とから構成されている。
【００１９】
次に、上記のようにセンサ取付具１０を、パイプＰのうちＵ字状に曲がった曲がり部Ｃに取り付ける方法について、以下に説明する。
【００２０】
まず、センサ取付具１０のセンサ保持部１２に温度センサＳを取り付ける。この際、センサ保持部１５内に温度センサＳを嵌め入れると位置決めスリット１５に保護キャップ１５の側面の一部が嵌って位置決めされる。
次に、温度センサＳを取り付けたセンサ取付具１０をパイプＰの曲がり部Ｃに取り付ける。すなわち、各パイプ保持部１３を曲がり部Ｃの内側に入れると共に、曲がり部Ｃの中央部及び両側部を嵌め込んで固定する。
【００２１】
このように本実施形態では、パイプ保持部１３が、それぞれ主平板部１１から立設状態に設けられた断面円弧状の帯状部であり、１つは曲がり部Ｃの中央部を嵌め込み可能な位置に配され、他の２つは曲がり部Ｃの両側部を嵌め込み可能な位置に配されているので、パイプＰの曲がり部Ｃを３点で嵌め込み支持して、確実に装着することができる。また、主平板部１１と３つのパイプ保持部１３とにより、パイプＰとの接触領域が多く、温度センサＳに効率的に熱を伝導させることができる。したがって、このセンサ取付具１０では、パイプＰの曲がり部Ｃであっても簡単にかつ確実に装着作業ができると共に、従来に比べて正確な温度検出が可能であり、微振動や板材の経年変化等による位置ずれを防ぐことができる。
【００２２】
また、センサ保持部１２とパイプ保持部１３とが、主平板部１１の異なる面に互いに設けられているので、スペースに余裕ができ、小型化しても互いに干渉することなく固定することが可能になる。さらに、パイプ保持部１３が、それぞれ外側に向けて曲げられて曲がり部Ｃをその内側から嵌め込み可能であるので、曲がり部Ｃをその外側から嵌め込む場合に比べて、位置ずれし難い。
また、主平板部１１に、センサ保持部１２に保持される温度センサＳに沿って延びる位置決めスリット１５が形成されているので、温度センサＳを保持した際に、温度センサＳが位置決めスリット１５に嵌って位置決めされ、微振動などによる位置ずれを防止することができる。
【００２３】
なお、本発明の技術範囲は上記実施の形態に限定されるものではなく、本発明の趣旨を逸脱しない範囲において種々の変更を加えることが可能である。
例えば、上記実施形態では、パイプ保持部が一定の幅の帯状であるのに対し、他の例として、パイプの径や曲率等の外形状に併せて、幅を変化させたパイプ保持部としても構わない。
【００２４】
【発明の効果】
本発明によれば、以下の効果を奏する。
すなわち、本発明のセンサ取付具及びセンサによれば、パイプ保持部が、それぞれ主平板部から立設状態に設けられた断面円弧状の帯状部であり、１つは曲がり部の中央部を嵌め込み可能な位置に配され、他の２つは曲がり部の両側部を嵌め込み可能な位置に配されているので、パイプを３つのパイプ保持部で支持して、確実に装着を行うことができると共に、効率的な熱伝導及び微振動や板材の経年変化等による位置ずれ防止を図ることができる。したがって、本発明は、Ｕ字状パイプへの高い取り付け信頼性を有して正確な温度検出を行うことができる。
【図面の簡単な説明】
【図１】本発明に係るセンサ取付具及びセンサの一実施形態を示す斜視図である。
【図２】本発明に係るセンサ取付具及びセンサの従来例を示す斜視図である。
【符号の説明】
１０　センサ取付具
１１　主平板部
１２　センサ保持部
１３　パイプ保持部
１５　位置決めスリット
Ｃ　曲がり部
Ｐ　パイプ
Ｓ　温度センサ
【図１】
2004053059.tif 000003
【図２】
2004053059.tif 000004